(57)【要約】【課題】慣性分離によって分離された塵埃を捕集する集塵容器の非装着及び誤装着を確実に防止すると共に、この集塵容器の装着状態を容易に認識することができる電気掃除機を提供すること。【解決手段】電動送風機１６を内蔵した掃除機本体１１と、この掃除機本体１１に着脱自在に装着されると共に電動送風機１６の吸込負圧による慣性分離で分離された塵埃を捕集する集塵容器３０と、掃除機本体１１に手元操作管３０を介して着脱自在に接続されると共に集塵容器３０に連通する吸込口体２０とを備えた電気掃除機１０であって、掃除機本体１１は、集塵容器３０の非装着又は誤装着を検知する第一マイクロスイッチ（容器検知手段）Ｍ１を有し、吸込口体２０は、第一マイクロスイッチＭ１の検知結果を報知する報知ランプ（報知手段）２４を有している。【選択図】  図１
2007236520.tif 000002
【特許請求の範囲】
【請求項１】
電動送風機を内蔵した掃除機本体と、この掃除機本体に着脱自在に装着されると共に前記電動送風機の吸込負圧による慣性分離で分離された塵埃を捕集する集塵容器と、前記掃除機本体に手元操作管を介して着脱自在に接続されると共に前記集塵容器に連通する吸込口体とを備えた電気掃除機であって、
前記掃除機本体は、前記集塵容器の非装着又は誤装着を検知する容器検知手段を有し、
前記吸込口体は、前記容器検知手段の検知結果を報知する報知手段を有していることを特徴とする電気掃除機。
【発明の詳細な説明】
【技術分野】
【０００１】
本発明は、慣性分離によって分離された塵埃を捕集する集塵容器が着脱自在に装着される掃除機本体に、着脱自在に接続される吸込口体を備えた電気掃除機に関するものである。
【背景技術】
【０００２】
従来から、電動送風機の吸引側に着脱自在に配置された集塵用の紙パックの有無を検出する検出手段と、この検知手段からの信号に基づいて警報を表示又は音声により報知する報知手段とを備えた電気掃除機が知られている（例えば、特許文献１参照）。
【０００３】
この電気掃除機では、手元操作管に設けられたリモート部のモードスイッチを点滅させると共に、ブザーを鳴らすことで紙パックの装着忘れを報知するようになっている。
【特許文献１】特開平４−７３０３５号公報
【発明の開示】
【発明が解決しようとする課題】
【０００４】
ところで、慣性分離によって分離された塵埃を捕集する集塵容器は、透明や半透明な材質で形成されることが多く、特に所定の位置に装着されていない誤装着状態が分かりにくくなっているが、上述の電気掃除機では、この慣性分離で分離された塵埃を捕集する集塵容器の有無を検知することができないという問題が生じていた。
【０００５】
特に、慣性分離によって塵埃を分離する電気掃除機では、集塵容器の着脱を行う際に集塵ホースを掃除機本体に接続したまま行うことが可能であり、集塵容器を装着していない状態で掃除を行なってしまうおそれがあった。
【０００６】
そのため、この慣性分離によって塵埃を分離する電気掃除機では、集塵容器が所定位置に正確に装着されていないにもかかわらず電動送風機を駆動させてしまい、十分な掃除を行なうことができない上に、分離された塵埃を捕集することができないおそれが生じていた。
【０００７】
さらに、掃除を行なう場合には被清掃面を見ながら行うことが一般的であり、手元操作管に設けられたモードスイッチを点滅させるだけでは、容易に検知結果を認識することができないという問題も生じていた。
【０００８】
そこで、この発明は、慣性分離によって分離された塵埃を捕集する集塵容器の非装着及び誤装着を確実に防止すると共に、この集塵容器の装着状態を容易に認識することができる電気掃除機を提供することを目的としている。
【課題を解決するための手段】
【０００９】
上記課題を解決するために、この発明は、電動送風機を内蔵した掃除機本体と、この掃除機本体に着脱自在に装着されると共に前記電動送風機の吸込負圧による慣性分離で分離された塵埃を捕集する集塵容器と、前記掃除機本体に手元操作管を介して着脱自在に接続されると共に前記集塵容器に連通する吸込口体とを備えた電気掃除機であって、前記掃除機本体は、前記集塵容器の非装着又は誤装着を検知する容器検知手段を有し、前記吸込口体は、前記容器検知手段の検知結果を報知する報知手段を有していることを特徴としている。
【発明の効果】
【００１０】
本発明の電気掃除機によれば、容器検知手段により慣性分離によって分離された塵埃を捕集する集塵容器の非装着及び誤装着を確実に防止することができる。
【００１１】
また、被清掃面上で塵埃を吸い込む吸込口体が報知手段を有しているので、報知手段を目視確認しやすく、容易に容器検知手段の検知結果を認識することができる。
【発明を実施するための最良の形態】
【００１２】
以下、この発明に係る電気掃除機を実施するための最良の形態を図面に基づいて説明する。
【００１３】
図１に示す電気掃除機１０は、掃除機本体１１と、この掃除機本体１１の前端部に設けたホース接続口１１ａに一端が着脱可能に接続された集塵ホース１２と、この集塵ホース１２の他端に設けた手元操作管１３に着脱自在に接続された延長管１４と、この延長管１４の先端部に着脱自在に接続された吸込口体２０とを備えている。
【００１４】
掃除機本体１１の内部には、図２に示すように、前側に集塵室１５が形成され、後側にこの集塵室１５に負圧を作用させる電動送風機１６が配置された電動機室（図示せず）が形成され、この電動機室の上方に制御回路Ｓが配置されている。
【００１５】
また、この掃除機本体１１の上面には、後部がヒンジ結合されて上下方向に回動する蓋体１７が設けられ、この蓋体１７によって集塵室１５が開閉されるようになっている。
【００１６】
さらに、この集塵室１５と電動機室（図示せず）とは、隔壁１８によって区画されている。
【００１７】
また、手元操作管１３には操作部１３Ａが設けられており、操作部１３Ａには電動送風機１６の強弱を設定する強、弱スイッチＳａ，Ｓｂ及びオフスイッチＳｃ等とが設けられている。なお、この操作部１３Ａからのスイッチ信号は、制御回路Ｓに入力されるようになっている。
【００１８】
集塵室１５は、図２に示すように、上方に開放すると共に、底面１５ａに後述する第一マイクロスイッチＭ１が設けられている。そして、この集塵室１５には、集塵容器３０が着脱自在に装着されている。
【００１９】
集塵容器３０は、図２及び図３に示すように、容器本体３１と、この容器本体３１の後面に着脱自在に取り付けられたフィルタ体３２とを有している。
【００２０】
容器本体３１は、集塵室部３３と風路室部３４とを有しており、この集塵室部３３と風路室部３４とはメッシュフィルタＭＦによって連通区画されている。
【００２１】
また、集塵室部３３は、底面が蓋部３５によって開閉可能になっていると共に、集塵室１５内に装着された際にホース接続口１１ａに連通する連通口３３ａと、この連通口３３ａに対向した分離壁３３ｂとを備えている。なお、この連通口３３ａ及び分離壁３３ｂは、集塵室部３３の上部に設けられ、メッシュフィルタＭＦよりも上方に位置している。
【００２２】
風路室部３４は、後部が隔壁１８に向かって開放しており、この後部がフィルタ体３２によって塞がれている。
【００２３】
フィルタ体３２は、図４に示すように、枠体３２ａと、この枠体３２ａの内側に取り付けられた蛇腹状のプリーツフィルタ３２ｂとを有している。また、枠体３２ａには、後述する第二マイクロスイッチＭ２を押圧する押圧片３６が後方に向かって突出形成されている。
【００２４】
なお、このフィルタ体３２の後面には、プリーツフィルタ３２ｂに付着した塵埃を除去するための振動レバー３２ｃ（図２参照）が設けられており、フィルタ体３２を着脱する際には、この振動レバー３２ｃをつまんで行う。
【００２５】
隔壁１８は、図３に示すように、格子状に仕切られて多数の連通孔１８ａが形成された格子部１８ｂと、この格子部１８ｂの下側に設けられたスイッチ保持部１８ｃとを有している。
【００２６】
スイッチ保持部１８ｃは、隔壁１８に形成された穴部１８ｄの周縁部から集塵室１５側に突出形成されたカップ形状を呈しており、内部に第二マイクロスイッチＭ２が配置されている。
【００２７】
第一マイクロスイッチＭ１は、集塵容器３０の非装着又は誤装着を検知する容器検知手段であり、スイッチ片Ｍ１ａと、このスイッチ片Ｍ１ａのＯＮ／ＯＦＦを検知する検知部Ｍ１ｂとを有している。
【００２８】
この第一マイクロスイッチＭ１は、集塵室１５の底面１５ａのほぼ中央に配設されており、この集塵室１５内に集塵容器３０が装着されることによってスイッチ片Ｍ１ａが押圧されるようになっている。検知部Ｍ１ｂは、スイッチ片Ｍ１ａが押圧されている間、このスイッチ片Ｍ１ａのＯＮを検知する。
【００２９】
また、第二マイクロスイッチＭ２は、フィルタ体３２の非装着を検知するフィルタ検知手段であり、スイッチ片Ｍ２ａと、このスイッチ片Ｍ２ａのＯＮ／ＯＦＦを検知する検知部Ｍ２ｂとを有している。
【００３０】
この第二マイクロスイッチＭ２は、スイッチ保持部１８ｃ内に配設されており、フィルタ体３２が取り付けられた容器本体３１が集塵室１５内に装着されると、フィルタ体３２の押圧片３６によってスイッチ片Ｍ２ａが押圧されるようになっている。検知部Ｍ２ｂは、スイッチ片Ｍ２ａが押圧されている間、このスイッチ片Ｍ２ａのＯＮを検知する。
【００３１】
そして、各第一、第二マイクロスイッチＭ１、Ｍ２は、図示しないハーネスを介してそれぞれ制御回路Ｓに電気的に接続され、この第一、第二マイクロスイッチＭ１、Ｍ２からのＯＮ信号が制御回路Ｓに入力されるようになっている。
【００３２】
制御回路Ｓは、操作部１３Ａからのスイッチ信号に基づいて電動送風機１６の運転制御を行うと共に、第一、第二マイクロスイッチＭ１、Ｍ２からのＯＮ信号に基づいて吸込口体２０に設けられた後述する報知ランプ２４、２５を点滅制御するものである。
【００３３】
ここで、この制御回路Ｓは、第一マイクロスイッチＭ１からＯＮ信号が入力されると報知ランプ２４を消灯し、第一マイクロスイッチＭ１からＯＮ信号が入力されないと報知ランプ２４を点灯する。また、この制御回路Ｓは、第二マイクロスイッチＭ２からＯＮ信号が入力されると報知ランプ２５を消灯し、第二マイクロスイッチＭ２からＯＮ信号が入力されないと報知ランプ２５を点灯する。
【００３４】
一方、吸込口体２０は、図５（ａ）に示すように、吸込口本体２１と、この吸込口本体２１の前面及び両側面に設けられたバンパー２２と、吸込口２１の後部に回転可能且つ前後に起倒可能に設けられた接続管２３とを備えている。
【００３５】
吸込口本体２１は、接続管２３に連通する図示しない吸込室が内部に形成されており、この吸込室には、集塵室１５、集塵ホース１２、手元操作管１３、延長管１４及び接続管２３を順に介して、電動送風機１６の吸込負圧が作用するようになっている。
【００３６】
また、この吸込室内には、回転清掃体（図示せず）が回転自在に配置されると共に、この回転清掃体の上方に位置する駆動ファン（図示せず）が回転自在に配置されている。
【００３７】
さらに、吸込口本体２１の上面には、多数の空気取入開口２１ａと、第一、第二報知ランプ２４、２５とが設けられている。なお、この空気取入開口２１ａと、第一、第二報知ランプ２４、２５とは、それぞれ接続管２３を挟んで互いに反対側に位置している。また、この空気取入開口２１ａ及び第一、第二報知ランプ２４、２５が設けられた配置面２１ｂは、図５（ｂ）に示すように、後方（接続管２３の延長方向）に向かって次第に低くなるように傾斜しており、この配置面２１ｂが後方を向くようになっている。
【００３８】
そして、吸込口本体２１の吸込室に吸込負圧が作用すると、この吸込負圧によって吸込口本体２１の図示しない底面に形成された吸込開口から、被清掃面上の塵埃が吸い込まれると共に、上面に形成された多数の空気取入開口２１ａから空気が吸い込まれる。そして、この空気取入開口２１ａからの空気により、内部に設けられた図示しない駆動ファンが回転し、この回転に伴って回転清掃体が回動するようになっている。
【００３９】
第一報知ランプ２４は、第一マイクロスイッチＭ１の検知結果を報知する報知手段であり、図示しない信号線を介して制御回路Ｓに電気的に接続され、制御回路Ｓからの点灯信号が入力されるようになっている。
【００４０】
また、第二報知ランプ２５は、第二マイクロスイッチＭ２の検知結果を報知する報知手段であり、図示しない信号線を介して制御回路Ｓに電気的に接続され、制御回路Ｓからの点灯信号が入力されるようになっている。
【００４１】
ここで、図示しない信号線は、集塵ホース１２、手元操作管１３、延長管１４、及び接続管２３内に設けられ、この集塵ホース１２等が接続されることにより電気的に連続するようになっている。
【００４２】
そして、第一報知ランプ２４は、図５（ｂ）に示すように、配置面２１ｂに形成された凹部２４ａ内に設けられたＬＥＤ２４ｂと、この凹部２４ａを覆う透光材２４ｃとを有している。
【００４３】
なお、第二報知ランプ２５も、図示しないが凹部内に設けられたＬＥＤと、凹部を覆う透光材とを有している。
【００４４】
これらの第一、第二報知ランプ２４、２５は、制御回路Ｓから点灯信号が入力されると、ＬＥＤ２４ｂ、（他方図示せず）を発光させると共に、透光材２４ｃ、（他方図示せず）によって光を拡散するようになっている。
【００４５】
次に、上記のように構成される電気掃除機１０の動作について説明する。
【００４６】
この電気掃除機１０の集塵容器３０に塵埃が溜まったら、掃除機本体１１に設けられた蓋体１７を上方に回動させて集塵室１５を開け、集塵容器３０を集塵室１５から取り出す。
【００４７】
そして、蓋部３５を図示しない開閉手段を操作して開き、集塵室部３３内に蓄積された塵埃を廃棄する。なお、このとき、メッシュフィルタＭＦに付着した塵埃を掻き出してもよい。
【００４８】
さらに、フィルタ体３２に付着した塵埃を除去するには、まずフィルタ体３２の後面に設けられた振動レバー３２ｃをつまみ、風路室部３４の後部に嵌着されたフィルタ体３２を取り外す。
【００４９】
次に、振動レバー３２ｃを左右方向に移動させてプリーツフィルタ３２ｂを振動させ、このプリーツフィルタ３２ｂに付着した塵埃を除去する。
【００５０】
このようにプリーツフィルタ３２ｂの塵埃を除去したら、再び振動レバー３２ｃをつまんでフィルタ体３２を風路室部３４の後部に嵌着する。また、集塵室部３３の蓋部３５は、あらかじめ閉じておく。
【００５１】
そして、フィルタ体３２を取り付けた容器本体３１を、集塵室１５内に挿入し、集塵容器３０を掃除機本体１１に装着する。
【００５２】
このとき、図６（ａ）に示すように、蓋部３５が集塵室１５の底面１５ａに向かってまっすぐ降下していき、集塵容器３０が集塵室１５の所定の位置に正確に装着されると、図６（ｂ）に示すように、第一マイクロスイッチＭ１が蓋部３５によって押圧される。これにより、検知部Ｍ１ｂはスイッチ片Ｍ１ａのＯＮを検知し、制御回路Ｓには第一マイクロスイッチＭ１からのＯＮ信号が入力される。
【００５３】
一方、フィルタ体３２は隔壁１８に沿って降下し、このとき図６（ｃ）に示すように、フィルタ体３２の枠体３２ａに設けられた押圧片３６が隔壁１８に摺接しながら移動する。
【００５４】
そして、集塵容器３０が集塵室１５の所定の位置に正確に装着されると、図６（ｄ）に示すように、第二マイクロスイッチＭ２が押圧片３６によって押圧される。これにより、検知部Ｍ２ｂはスイッチ片Ｍ２ａのＯＮを検知し、制御回路Ｓには第二マイクロスイッチＭ２からのＯＮ信号が入力される。
【００５５】
このように集塵容器３０を装着したら、蓋体１７を下方に回動して閉じてから手元操作管１３の操作部１３Ａに設けられた強スイッチＳａ又は弱スイッチＳｂをＯＮする。
【００５６】
このとき、制御回路Ｓには第一、第二マイクロスイッチＭ１、Ｍ２からのＯＮ信号がそれぞれ入力されているので、この制御回路Ｓから点灯信号が出力されず、報知ランプ２４、２５は消灯したままとなる。
【００５７】
そして、電動送風機１６は、操作部１３Ａからのスイッチ信号に応じた運転を行い、これにより吸込負圧が集塵室１５、集塵ホース１２、手元操作管１３、延長管１４を順に介して吸込口体２０から塵埃を吸い込んで掃除をすることができる。
【００５８】
なお、吸込口体２０から吸い込まれた塵埃を含む空気は、延長管１４、手元操作管１３、集塵ホース１２を順に介して、集塵室１５内の集塵容器３０内に吸い込まれる。
【００５９】
ここで、集塵容器３０の連通口３３ａから集塵室部３３内に流れ込んだ空気及び塵埃は、慣性力によってほぼまっすぐ流れて分離壁３３ｂにぶつかる。これにより、塵埃が下方に落下して蓄積されると共に、空気はメッシュフィルタＭＦを介して風路室部３４へと流れる。そして、空気は隔壁１８の連通孔１８ａを通って電動送風機１６に吸い込まれ、図示しない排気口から大気へと排気される。
【００６０】
このように、集塵容器３０では、慣性分離によって空気と塵埃とが分離されるようになっている。
【００６１】
一方、この集塵容器３０が装着されていない場合では、第一、第二マイクロスイッチＭ１、Ｍ２はそれぞれＯＮされず、検知部Ｍ１ｂ、Ｍ２ｂがスイッチ片Ｍ１ａ、Ｍ２ａのＯＮを検知することはない。
【００６２】
そのため、制御回路Ｓには、第一、第二マイクロスイッチＭ１、Ｍ２のいずれからもＯＮ信号が入力されないので、この制御回路Ｓは、報知ランプ２４、２５のそれぞれに点灯信号を出力し、報知ランプ２４、２５を点灯させる。
【００６３】
これにより、集塵容器３０の非装着及びフィルタ体３２の非装着を容易に把握することができ、誤って掃除をしてしまうことを防止できる。
【００６４】
さらに、フィルタ体３２が容器本体３１に装着されていない場合では、集塵容器３０の蓋部３５によって押圧される第一マイクロスイッチＭ１はＯＮされるが、第二マイクロスイッチＭ２はＯＮされず、検知部Ｍ２ｂはスイッチ片Ｍ２ａのＯＮを検知しない。
【００６５】
これにより、制御回路Ｓには第一マイクロスイッチＭ１からのみＯＮ信号が入力されるので、この制御回路Ｓは報知ランプ２５のみに点灯信号を出力し、報知ランプ２５だけが点灯する。
【００６６】
このように、フィルタ体３２の非装着を検知して報知することができるので、フィルタ体３２の装着忘れを防止し、電動送風機１６に細塵が吸い込まれることを確実に防止することができる。
【００６７】
そして、集塵容器３０が所定の位置に正確に装着されていない場合、つまり誤装着の場合では、蓋部３５が集塵室１５の底面１５ａに向かってまっすぐ降下せず、第一マイクロスイッチＭ１を十分に押圧することができない。
【００６８】
このため、検知部Ｍ１ｂはスイッチ片Ｍ１ａのＯＮを検知せず、制御回路Ｓには第一マイクロスイッチＭ１からのＯＮ信号が入力されない。なお、このとき第二マイクロスイッチＭ２も十分に押圧されず、この第二マイクロスイッチＭ２からのＯＮ信号も入力されない。
【００６９】
これにより、制御回路Ｓは報知ランプ２４、２５に点灯信号を出力し、報知ランプ２４、２５が点灯する。
【００７０】
このように、集塵容器３０の誤装着を検知して報知することができるので、集塵室１５内に集塵容器３０が所定の位置に正確に装着されていないことを容易に把握することができ、誤って掃除してしまうことを防止できる。
【００７１】
さらに、この電気掃除機１０では、吸込口体２０に報知ランプ２４、２５が設けられているので、報知ランプ２４、２５を目視確認しやすく、容易に第一、第二マイクロスイッチＭ１、Ｍ２の検知結果を認識することができる。
【００７２】
これにより、集塵容器３０の非装着又は誤装着やフィルタ体３２の非装着を確実に把握して、誤って掃除をしてしまうことを防止できる。
【００７３】
特に、上述の実施の形態の電気掃除機１０では、容器検知手段である第一マイクロスイッチＭ１と、フィルタ検知手段である第二マイクロスイッチＭ２とを備えているので、集塵容器３０の非装着又は誤装着を検知すると共に、フィルタ体３２の非装着を検知することができる。
【００７４】
なお、容器検知手段である第一マイクロスイッチＭ１のみが設けられていてもよい。この場合であっても、慣性分離によって分離された塵埃を捕集する集塵容器３０の非装着又は誤装着を検知することができる。
【００７５】
また、上述の実施の形態では、第一マイクロスイッチＭ１を集塵室１５の底面１５ａに設け、第二マイクロスイッチＭ２を隔壁１８に設けたが、これに限られず、任意の位置に設けてもよい。
【００７６】
さらに、容器検知手段として、光センサや超音波センサ等の非接触タイプのセンサであってもよい。
【図面の簡単な説明】
【００７７】
【図１】この発明に係る電気掃除機の外観を示した斜視図である。
【図２】掃除機本体の一部を破断した断面図である。
【図３】集塵容器の一部を断面した斜視図である。
【図４】フィルタ体を示す斜視図である。
【図５】（ａ）は吸込口体の外観を示す斜視図であり、（ｂ）は図５（ａ）におけるＡ−Ａ断面図である。
【図６】（ａ）は集塵容器による第一マイクロスイッチの押圧前を示す説明図であり、（ｂ）は集塵容器による第一マイクロスイッチの押圧後を示す説明図であり、（ｃ）はフィルタ体による第二マイクロスイッチの押圧前を示す説明図であり、（ｄ）はフィルタ体による第二マイクロスイッチの押圧後を示す説明図である。
【符号の説明】
【００７８】
１０      電気掃除機
１１      掃除機本体
１３      手元操作管
１６      電動送風機
２０      吸込口体
２４      報知ランプ（報知手段）
３０      集塵容器
Ｍ１      第一マイクロスイッチ（容器検知手段）
【図１】
2007236520.tif 000003
【図２】
2007236520.tif 000004
【図３】
2007236520.tif 000005
【図４】
2007236520.tif 000006
【図５】
2007236520.tif 000007
【図６】
2007236520.tif 000008